(57)【要約】      （修正有）【課題】前方カバー、タッチパネル、ネームプレート、仕切り板および液晶ディスプレイモジュールを含む液晶ディスプレイにおいて、外部環境との温度差による水蒸気の発生を防止する。【解決手段】液晶ディスプレイは、仕切り板４によってタッチパネル２と液晶ディスプレイモジュール５の間の領域を第１空間６および第２空間７に分割し、第１空間は小さく、第２空間は大きくなる様にする。この構成により、液晶ディスプレイモジュールに電気を供給した場合、第１空間内に留まる高温の空気は少なくなる。さらに、仕切り板の熱遮断効果によって第２空間内で高温の空気が液化しないので、外部環境との温度差が容易に生じず、これによりミストの発生を防ぐ。【選択図】図４
2009053541.tif 000002
【特許請求の範囲】
【請求項１】
フレーム本体を上に有し、内側が収容空間で形成される密閉壁を前記フレーム本体の背面に備え、前記フレーム本体がさらに前記密閉壁内に配置される開口をその上に有し、前記フレーム本体の前面に陥没した接続部が形成される前方カバーと、
前記接続部に配置され、中に透過領域を備えて形成される側部フレームをタッチパネルの周辺部に備える前記タッチパネルと、
前記密閉壁内で前記フレーム本体上に配置される仕切り板と、
液晶ディスプレイモジュールが前記仕切り板の一側面に対応し接触する方法で前記密閉壁内に配置される前記液晶ディスプレイモジュールと
を備える水蒸気の発生を防止するための液晶ディスプレイであって、
前記タッチパネルと前記液晶ディスプレイモジュールの間の領域を第１空間と第２空間に分割する前記仕切り板によって、前記液晶ディスプレイモジュールに電気を供給した後、発生する高温の空気が前記液晶ディスプレイモジュールと前記仕切り板の間の当接部を介して消散し、したがって前記第２空間内で前記高温の空気が液化しないので外部環境との温度差が容易に生じず、これによりミストの発生を防止する液晶ディスプレイ。
【請求項２】
前記前方カバーがプラスチック材料で作成される、請求項１に記載の水蒸気の発生を防止するための液晶ディスプレイ。
【請求項３】
前記仕切り板が透過性プラスチック（ＰＥＴ）で作成される、請求項１に記載の水蒸気の発生を防止するための液晶ディスプレイ。
【請求項４】
前記仕切り板が透過性ガラスで作成される、請求項１に記載の水蒸気の発生を防止するための液晶ディスプレイ。
【請求項５】
ネームプレートが前記タッチパネルに対応するように前記フレーム本体の前記前面に配置され、前記ネームプレートの周辺部が、透視領域を中に備えて形成される側部フレームを備える、
請求項１に記載の水蒸気の発生を防止するための液晶ディスプレイ。
【発明の詳細な説明】
【技術分野】
【０００１】
本発明はディスプレイに関し、より詳細には水蒸気の発生を防止するためのディスプレイに関する。
【背景技術】
【０００２】
現代の液晶ディスプレイモジュール（LCM）は小型の電子装置に適用され、さらに一般の装置に広く使用することもできる。所望される液晶ディスプレイの輝度は高くなっており、液晶ディスプレイの作用温度は次第に高くなってきている。液晶ディスプレイの前方に透過性タッチパネルまたは保護用ガラス部品を配置する必要があり、このような組立体が一定の期間内高湿度の環境に配置される場合、液晶ディスプレイに電気が供給された後、ガラス部品に水蒸気が付着して人の視界に障害物を生じさせる恐れがある。
【０００３】
液晶ディスプレイが、温度および湿度が一定に制御されていない環境、または単に一定の温度状態に制御されている環境で作動する場合、利用されない時間に装置内に湿気が蓄積しやすい傾向がある。湿気がある程度まで蓄積すると、装置を再起動した後、内外の環境の温度差によって装置内で水蒸気が液化することがある。
【０００４】
従来の液晶ディスプレイ（図１および２に示す）においてミストが発生する原因は、液晶ディスプレイを組み立てる際、液晶ディスプレイモジュール５０と前方カバー１０の間に配置され、これによって前方カバー１０に直接接触するのを回避する防塵部品４０の層である。また前方カバー１０の前方にタッチパネル２０およびネームプレート３０を備える。しかしながら、このような配置によって閉鎖空間６０が生じる。一定の湿気を有する環境での使用後、液晶ディスプレイモジュールの温度が高くなるために、閉鎖空間６０の温度が上昇することがあり、これを消散させるのは容易でないので外部環境との温度差が生じてミストの発生を引き起こす。防塵部品４０は埃のみを阻止することができる緩衝スポンジであるが、液晶ディスプレイモジュール５０によって発生する熱を効果的に消散させることはできない。したがって、湿度は閉鎖空間６０内である程度まで残るので、タッチパネル２０のガラス面上で水蒸気が液化する反応時間を速めることがある。同時にその環境状況は、水蒸気がその飽和蒸気圧に達し、タッチパネル２０のガラス面の温度が外部環境の温度に近づく（その温度はより低い）。したがってミストの発生現象が起こる恐れがある。
【０００５】
液晶ディスプレイ内で発生するミストのための既存の解法は、低温ランプ管を使用して液晶ディスプレイを照らすことである。この方法では液晶ディスプレイの起動後、ランプ管の熱によって内外の環境の温度差が大きくなりすぎることがないので、水蒸気の液化を防止できる。しかしながら、このタイプの液晶ディスプレイはある程度の技術の限界値を有する。さらに、その材料源は容易に入手できないため値段も高くなり、製造費用も高くなる。別の解法は、外部の水蒸気がタッチパネルと液晶ディスプレイを組み立てることによって形成される閉鎖空間へ侵入しないように隔離することである。したがって内外の温度の温度差が比較的大きくても、水蒸気はその飽和蒸気圧に到達してミストを液化させることができない。しかしながら、この種の解法は複雑であり組立てるのが容易ではなく、効果も低い。したがって、いずれの水蒸気の存在からも完全に隔離するように内部の閉鎖空間を効果的に制御することはできない。
【発明の開示】
【発明が解決しようとする課題】
【０００６】
従来技術の欠点を克服するために、本発明はPETまたはガラス材料で作成され、前方カバーと液晶ディスプレイモジュールの間に配置される仕切り板を提供する。この構成によって液晶ディスプレイモジュールによって発生する熱を消散することができるので、液晶ディスプレイ内に高温の空気が留まることがない。その結果、容易には外部環境との温度差を生じないので、ミストが発生しなくなる。仕切り板は透過性プラスチック材料（PET）またはガラスの任意の１つで作成されるので、光伝送効果が優れており高温に持ちこたえることができる。さらにこの種の材料源は豊富であり入手が容易であることから、製造費用が減少する。
【０００７】
本発明は、水蒸気の発生を防止し、前方カバー、タッチパネル、ネームプレート、仕切り板および液晶ディスプレイモジュールを含む液晶ディスプレイを提供する。前方カバーはその上にフレームカバーを有し、フレーム本体の背面に密閉壁を備える。密閉壁の内側は、仕切り板および液晶ディスプレイモジュールを収容するための収容空間で形成される。側部フレームの前面にはタッチパネルと組み合わせるための陥没した接続部が形成される。ネームプレートは前方カバーのフレーム本体の前方面に設置され、タッチパネルに対応するように配置される。タッチパネルと液晶ディスプレイモジュールの間の領域を第１空間と第２空間に分割する仕切り板によって、液晶ディスプレイモジュールの陥没領域と仕切り板の一側面の間に形成される第１空間は小さくなり、一方仕切り板のもう１つの側面とタッチパネルの一側面の間に形成される第２空間は大きくなる。液晶ディスプレイモジュールに電気を供給した後、発生する高温の空気が液晶ディスプレイモジュールと仕切り板の間の接続部を介して消散するので第１空間内に留まる高温の空気の量は少なくなる。さらに、仕切り板の熱遮断効果によって第２空間内で高温の空気が液化しないので、容易には外部環境との温度差が生じず、これによりミストの発生を防ぐ。
【発明を実施するための最良の形態】
【０００８】
本発明の技術的内容および詳細な説明を添付の図面を参照して説明する。
【０００９】
図３を参照すると、本発明の液晶ディスプレイの構造を示す分解図である。この図に示されるように、本発明による水蒸気の発生を防止するための液晶ディスプレイは、前方カバー１、タッチパネル２、ネームプレート３、仕切り板４および液晶ディスプレイモジュール（LCM）５を含む。
【００１０】
前方カバー１はプラスチック材料から作成され、その上にフレーム本体１１を有する。フレーム本体１１の背面に密閉壁１２を備える。密閉壁１２は、仕切り板４および液晶ディスプレイモジュール５を収容するための収容空間１３を中に有して形成される。さらにフレーム本体１１はその上に開口１４を有する。開口１４が密閉壁１２内に配置されることにより、使用者が液晶ディスプレイモジュール５によって表示される画像を見ることができる。さらにフレーム本体１１の前面にはタッチパネル２と組み合わせるための陥没した接続部１５（図４に示されるように）を備える。
【００１１】
タッチパネル２は接続部１５内に配置される。タッチパネル２の周辺部は側部フレーム２１を備える。側部フレーム２１の内側は、使用者が液晶ディスプレイモジュール５によって表示される画像を見ることができるように、透過領域２２で形成される。さらに、この透過領域は使用者が接触制御により電子装置の種々の機能を実行することも可能にする。図面において、タッチパネル２は抵抗器タイプまたはコンデンサタイプのタッチパネルの任意の１つである。
【００１２】
ネームプレート３は前方カバー１のフレーム本体１１の前面に配置され、タッチパネル２に対応するように配置される。ネームプレート３の周辺部は側部フレーム３１を備える。側部フレーム３１は、使用者が液晶ディスプレイモジュール５によって表示される画像を見ることができるように透視領域３２を中に備えて形成される。
【００１３】
仕切り板４は、透過性プラスチック材料（PET）またはガラスの任意の１つで作成され、前方カバー１の密閉壁１２内でフレーム本体１１上に配置される。
【００１４】
液晶ディスプレイモジュール５（LCM）は前方カバー１の密閉壁１２内に配置され、仕切り板４の片面に対応し接触する方法で配置される。
【００１５】
上記の仕切り板４の材料の固有の特性によって、液晶ディスプレイモジュール５が作動する際、液晶ディスプレイモジュール５によって発生する高温が、その前方に配置されるタッチパネル２に水蒸気を発生させなくなる。
【００１６】
図４を参照すると、本発明の液晶ディスプレイの構造を示す組立て断面図である。この図に示されるように、本発明による水蒸気の発生を防止するための液晶ディスプレイにおいて、前方カバー１、タッチパネル２、ネームプレート３、仕切り板４および液晶ディスプレイモジュール（LCM）５がこの順序で完全に組み立てられた後、仕切り板４が液晶ディスプレイモジュール５に当接するように使用され、これによりタッチパネル２と液晶ディスプレイモジュール５の間の領域を第１空間６および第２空間７に分割する。
【００１７】
仕切り板４の一側面と液晶ディスプレイモジュール５の陥没領域５１の間に形成される第１空間６はより小さいので、中に包含される水蒸気の量はより少なくなる。一方、仕切り板４のもう一方の側面とタッチパネル２の一側面の間に形成される第２空間７はより大きいので、中に包含される水蒸気の量はより大きくなる。
【００１８】
液晶ディスプレイモジュール５に電気を供給した後、液晶ディスプレイモジュール５内にランプ管（図示せず）を組み込む位置Ａに高温の空気が発生することがある。発生した高温の空気は、液晶ディスプレイモジュール５と仕切り板４の間の当接位置Bの遠位端を通って消散する。その結果、第１空間６内に留まる高温の空気の量は少なくなる。さらに仕切り板４の熱遮断効果によって高温の空気は第２空間７内で液化しないので、外部環境と異なる温度は容易に発生しないことによりミストの発生を防止する。
【００１９】
仕切り板４は透過性プラスチック材料（PET）またはガラスの任意の１つで作成されるので、その光伝送効果は優れており高温に持ちこたえることができる。さらにこの種の材料源は豊富であり入手が容易であるので、製造費用が減少する。
【００２０】
本発明は上述の好ましい実施形態を参照して記載してきたが、本発明はその詳細に限定されるものではないことを理解されたい。本発明の教示を考慮して、当業者はさらに種々の等価な変更物および修正物を思いつくことができる。したがって、そのような変更物および等価な修正物も添付の特許請求の範囲に定義される本発明の範囲内に包含されるものである。
【図面の簡単な説明】
【００２１】
【図１】図１は従来の液晶ディスプレイの構造を示す分解図である。
【図２】図２は従来の液晶ディスプレイの構造を示す組立て断面図である。
【図３】本発明の液晶ディスプレイの構造を示す分解図である。
【図４】本発明の液晶ディスプレイの構造を示す組立て断面図である。
【図１】
2009053541.tif 000003
【図２】
2009053541.tif 000004
【図３】
2009053541.tif 000005
【図４】
2009053541.tif 000006
【外国語明細書】
LIQUID CRYSTAL DISPLAYER FOR PREVENTING THE GENERATION OF MOISTURE
BACKGROUND OF THE INVENTION
1. Field of the Invention
The present invention relates to a displayer, and in particular to a displayer for preventing the generation of moisture.
2. Description of Prior Art
Modern liquid crystal displayer module (LCM) is applied to small-sized electronic devices, and in addition, it can be widely used in common machines.  Since the required brightness of the liquid crystal displayer is increasing, the working temperature of the liquid crystal displayer becomes higher and higher.  If it is necessary to arrange a transparent touch panel or a protective glass piece in front of the liquid crystal displayer and such assembly is located in a high-humidity environment for a period of time, there may be a problem that the moisture is attached on the glass piece to cause an obstacle to human vision after the liquid crystal displayer is supplied with electricity.
When the liquid crystal displayer operates in an environment without constant temperature and humidity control or in an environment that is merely controlled to a constant temperature state, it is prone to accumulate humidity within the machine during the idle period.  When the humidity is accumulated to a certain extent, after re-starting the machine, the moisture may condense therein due to the temperature difference between the internal and external environments.
The reason for generating a mist in the conventional liquid crystal displayer (as shown in Figs. 1 and 2) is that a layer of dust-proof piece 40 is arranged between a liquid crystal displayer module 50 and a front cover 10 during the assembly of the liquid crystal displayer, thereby avoiding from contacting the front cover 10 directly.  In front of the front cover 10, a touch panel 20 and a nameplate 30 are also provided.  However, such arrangement generates a closed space 60.  After being used in an environment having certain humidity, the high temperature of the liquid crystal displayer module may cause the increase in the temperature of the closed space 60, which is not easy to be dissipated away and thus generates a temperature difference from the external environment to cause the generation of mist.  Since the dust-proof piece 40 is a cushioning sponge that can prevent the dust only but cannot efficiently dissipate the heat generated by the liquid crystal displayer module 50.  Therefore, the humidity may remain in the closed space 60 to a certain extent, thereby accelerating the response time for condensing the moisture on the glass surface of the touch panel 20.  At this time, the environmental condition is that the moisture has reached the saturated vapor pressure thereof and the temperature of the glass surface of the touch panel 20 is close to that of external environment (the temperature thereof is lower).  Therefore, the phenomenon of generating mist may occur.
The existing solution for the mist generated in the liquid crystal displayer is to light up the liquid crystal displayer by using low-temperature lamp tubes.  In this way, after starting the liquid crystal displayer, the heat of the lamp tubes may not cause the temperature difference between the internal and external environments to become too large, thereby preventing the condensation of moisture.  However, this kind of liquid crystal displayer has a certain degree of technical threshold.  Further, the material source thereof is not easy to obtain and the price is higher, increasing the production cost.  Another solution is to insulate the external moisture from penetrating into a closed space formed by assembling the liquid crystal displayer with the touch panel.  Therefore, even the temperature difference between the internal and external temperature is relatively large, no moisture can reach the saturated vapor pressure thereof to condense the mist.  However, such solution is complicated, not easy to assemble and low in efficiency.  Therefore, it cannot efficiently control the internal closed space to insulate completely from the existence of any moisture.
SUMMARY OF THE INVENTION
In order to solve the drawbacks of prior art, the present invention provides a partitioning plate that is made of PET or glass material and is arranged between a front cover and a liquid crystal displayer module.  With this arrangement, the heat generated by the liquid crystal displayer module can be dissipated away and thus hot air may not stay within the liquid crystal displayer.  As a result, it is not easy to generate a temperature difference from the external environment and thus the mist will not be generated.  Since the partitioning plate is made of any one of a transparent plastic material (PET) or glass, the light-transmitting efficiency thereof is excellent, and the temperature at which it can endure is high.   Further, the source of such materials is abundant and is easy to get, thereby reducing the production cost.
The present invention is to provide a liquid crystal displayer for preventing the generation of moisture, which includes a front cover, a touch panel, a nameplate, a partitioning plate and a liquid crystal displayer module.  The front cover has a frame body thereon, and the back surface of the frame body is provided with an enclosing wall.  The interior of the enclosing wall is formed with an accommodating space for accommodating the partitioning plate and the liquid crystal displayer module.  The front surface of the side frame is provided with a recessed connecting portion for assembling with the touch panel.  The nameplate is provided on the front surface of the frame body of the front cover and is arranged to correspond to the touch panel.  With the partitioning plate dividing a region between the touch panel and the liquid crystal displayer module into a first space and a second space, the first space formed between one side face of the partitioning plate to a recessed region of the liquid crystal displayer module is smaller, whereas the second space formed between the other side face of the partitioning plate to one side face of the touch panel is larger.  After the liquid crystal displayer module is supplied with electricity, the hot air generated will be dissipated away via the connecting portion between the liquid crystal displayer module and the partitioning plate, and thus the mount of hot air staying in the first space is less.  Further, the heat-obstructing effect of the partitioning plate causes the hot air not to condense in the second space, and thus it is not easy to generate a temperature difference from the external environment, thereby preventing the generation of mist.
BRIEF DESCRIPTION OF THE DRAWINGS
Fig. 1 is an exploded view showing the structure of a conventional liquid crystal displayer; 
Fig. 2 is an assembled cross-sectional view showing the structure of a conventional liquid crystal displayer; 
Fig. 3 is an exploded view showing the structure of the liquid crystal displayer of the present invention; and
Fig. 4 is an assembled cross-sectional view showing the structure of the liquid crystal displayer of the present invention.
DETAILED DESCRIPTION OF THE INVENTION
The technical contents and detailed description of the present invention will be explained with reference to the accompanying drawings.  
With reference to Fig. 3, it is an exploded view showing the structure of the liquid crystal displayer of the present invention.  As shown in this figure, according to the present invention, the liquid crystal displayer for preventing the generation of the moisture includes a front cover 1, a touch panel 2, a nameplate 3, a partitioning plate 4 and a liquid crystal displayer module (LCM) 5.
The front cover 1 is made of a plastic material and has a frame body 11 thereon.  The back surface of the frame body 11 is provided with an enclosing wall 12.  The enclosing wall 12 is formed therein with an accommodating space 13 for accommodating the partitioning plate 4 and the liquid crystal displayer module 5.  Further, the frame body 11 has an opening 14 thereon.  The opening 14 is located in the enclosing wall 12, thereby allowing a user to see pictures displayed by the liquid crystal displayer module 5.  Further, the front surface of the frame body 11 is provided with a recessed connecting portion 15 (as shown in Fig. 4) for assembling with the touch panel 2.
The touch panel 2 is arranged in the connecting portion 15.  The periphery of the touch panel 2 is provided with a side frame 21.  The interior of the side frame 21 is formed with a transparent region 22 for allowing the user to see the pictures displayed by the liquid crystal displayer module 5.  In addition, it also allows the user to perform various functions of the electronic device under touch control.  In the drawings, the touch panel 2 is any one of a resistor type or capacitor type touch panel.
The nameplate 3 is arranged on the front surface of the frame body 11 of the front cover 1, and is arranged to correspond to the touch panel 2.  The periphery of the nameplate 3 is provided with a side frame 31.  The side frame 31 is formed therein with a perspective region 32 for allowing the user to see the pictures displayed by the liquid crystal displayer module 5.
The partitioning plate 4 is made of any one a transparent plastic material (PET) or glass, and is arranged on the frame body 11 within the enclosing wall 12 of the front cover 1.
The liquid crystal displayer module (LCM) 5 is arranged in the enclosing wall 12 of the front cover 1, and is arranged in such a manner that corresponds to and contacts one side face of the partitioning plate 4.
With inherent properties of the material of the above-mentioned partitioning plate 4, when the liquid crystal displayer module 5 operates, the high temperature generated by the liquid crystal displayer module 5 will not cause the touch panel 2 provided in the front thereof to generate moisture.
With reference to Fig. 4, it is an assembled cross-sectional view showing the structure of the liquid crystal displayer of the present invention.  As shown in this figure, according to the present invention, in the liquid crystal displayer for preventing the generation of the moisture, after the front cover 1, the touch panel 2, the nameplate 3, the partitioning plate 4 and the liquid crystal displayer module 5 are completely assembled in this order, the partitioning plate 4 is used to abut against the liquid crystal displayer module 5, thereby dividing the region between the touch panel 2 and the liquid crystal displayer module 5 into a first space 6 and a second space 7.
Since the first space 6 formed between one side face of the partitioning plate 4 and a recessed region 51 of the liquid crystal displayer module 5 is smaller, the amount of the moisture contained therein is less.  On the other hand, since the second space 7 formed between the other side face of the partitioning plate 4 and one side face of the touch panel 2 is larger, the amount of the moisture contained therein is more.
After the liquid crystal displayer module 5 is supplied with electricity, hot air may be generated at the positions A embedding lamp tubes (not shown) in the liquid crystal displayer module 5.  The hot air generated will be dissipated away through the distal ends of the abutting positions B between the liquid crystal displayer module 5 and the partitioning plate 4.  As a result, the amount of hot air staying in the first space 6 is less.  Further, with the heat-obstructing effect of the partitioning plate 4, the hot air will not condense in the second space 7, and thus it is not easy to generate a temperature difference from the external environment, thereby preventing the generation of mist.
Since the partitioning plate 4 is made of any one of a transparent plastic material (PET) or glass, the light-transmitting efficiency thereof is excellent, and the temperature at which it can endure is high.   Further, the source of such materials is abundant and is easy to get, thereby reducing the production cost.
Although the present invention has been described with reference to the foregoing preferred embodiment, it will be understood that the invention is not limited to the details thereof.  Various equivalent variations and modifications can still occur to those skilled in this art in view of the teachings of the present invention.  Thus, all such variations and equivalent modifications are also embraced within the scope of the invention as defined in the appended claims.
WHAT IS CLAIMED IS:
1. A liquid crystal displayer for preventing generation of moisture, comprising:
a front cover having a frame body thereon, a back surface of the frame body being provided with an enclosing wall, an interior of the enclosing wall being formed with an accommodating space, the frame body further having an opening thereon, the opening being located in the enclosing wall, a front surface of the frame body being provided with a recessed connecting portion;
a touch panel arranged in the connecting portion, a periphery of the touch panel being provided with a side frame, the side frame being formed with a transparent region therein;
a partitioning plate arranged on the frame body within the enclosing wall;
a liquid crystal displayer module arranged in the enclosing wall in such a manner that the liquid crystal displayer module corresponds to and contacts one side face of the partitioning plate;
wherein with the partitioning plate dividing a region between the touch panel and the liquid crystal displayer module into a first space and a second space, after the liquid crystal displayer module is supplied with electricity, hot air generated will be dissipated away through a abutting portion between the liquid crystal displayer module and the partitioning plate, and thus the hot air does not condense in the second space, it is not easy to generate a temperature difference from the external environment, thereby preventing the generation of moisture.
2. The liquid crystal displayer for preventing the generation of moisture according to claim 1, wherein the front cover is made of a plastic material.
3. The liquid crystal displayer for preventing the generation of moisture according to claim 1, wherein the partitioning plate is made of a transparent plastic (PET).
4. The liquid crystal displayer for preventing the generation of moisture according to claim 1, wherein the partitioning plate is made of a transparent glass.
5. The liquid crystal displayer for preventing the generation of moisture according to claim 1, wherein a nameplate is arranged on the front surface of the frame body to correspond to the touch panel, a periphery of the nameplate is provided with a side frame, the side frame is formed therein with a perspective region.
ABSTRACT OF THE DISCLOSURE
A liquid crystal displayer for preventing the generation of moisture includes a front cover, a touch panel, a nameplate, a partitioning plate and a liquid crystal displayer module. With the partitioning plate dividing a region between the touch panel and the liquid crystal displayer module into a first space and a second space, the first space is smaller, whereas the second space is larger. After the liquid crystal displayer module is supplied with electricity, the hot air staying in the first space is less.  Further, the heat-obstructing effect of the partitioning plate causes the hot air not to condense in the second space, and thus it is not easy to generate a temperature difference from the external environment, thereby preventing the generation of mist.
【図１】
2009053541.tif 000007
【図２】
2009053541.tif 000008
【図３】
2009053541.tif 000009
【図４】
2009053541.tif 000010